(57)【要約】  【課題】小形化を可能とし、一般白熱電球のシルエットに、より一層近づけることが可能なランプ一体形点灯装置を提供する。【解決手段】発光手段１３と、発光手段１３と電気的に接続される口金１１と、発光手段１３を点灯制御する回路部品１２と、回路部品１２を実装する回路基板１５とを具備し、前記回路部品１２を口金１１内に収納し、回路基板１５を口金１１に取り付ける構成とする。【選択図】        図１
2005085484.tif 000002
【特許請求の範囲】
【請求項１】
発光手段と；
発光手段と電気的に接続される口金と；
発光手段を点灯制御する回路部品と；
回路部品を実装する回路基板とを具備し；
前記回路部品を口金内に収納し、回路基板を口金に取り付けることを特徴とするランプ一体形点灯装置。
【請求項２】
回路基板に点灯回路部品を実装し、一端に開口部を有する略円筒状の口金内部空間内に回路部品を収納し、回路基板を口金開口部側に取り付けると共に、発光手段を口金開口部の外側で、かつ回路基板に近接して配置したことを特徴とするランプ一体形点灯装置。
【請求項３】
前記回路基板は、口金内に回路部品を収納した後に、口金を加工して取り付けることを特徴とする請求項１または２記載のランプ一体形点灯装置。
【請求項４】
前記回路基板を、口金内面に押圧することにより取り付けることを特徴とする請求項１または２記載のランプ一体形点灯装置。
【請求項５】
前記回路基板は、口金の螺旋溝を使用して取り付けることを特徴とする請求項１または２記載のランプ一体形点灯装置。
【請求項６】
前記回路基板は、基板周囲に凹部を形成し、この凹部を口金の凸部に係合して取り付けることを特徴とする請求項１または２記載のランプ一体形点灯装置。
【請求項７】
前記口金は、内部に回路部品に対向して電気絶縁部材を設けたことを特徴とする請求項１ないし６いずれか一記載のランプ一体形点灯装置。
【発明の詳細な説明】
【技術分野】
【０００１】
本発明は、放電灯等のランプと、ランプを点灯するための点灯回路を有するランプ一体形点灯装置に関する。
【背景技術】
【０００２】
従来、この種のランプ一体形点灯装置として、例えば、白熱電球などの一般照明用電球のソケットに対し装着が可能な口金を有する電球形蛍光ランプが知られている。
【特許文献１】特開２００３−１０９４０２号公報  この電球形蛍光ランプは、上記特許文献１に示されるように、口金９、点灯回路７及び蛍光ランプ２で構成され、点灯回路７の部品が実装された回路基板１３は、カバー４内に設けられたホルダー３に取り付けられ、ホルダー３には蛍光ランプ２が取り付けられている。
【０００３】
さらに、カバー４の一端は口金９に装着され、カバー４の他端には蛍光ランプ２を覆ってグローブ６が装着されている。
【０００４】
回路基板１３に実装された複数の部品のうち、比較的に大きな部品である電解コンデンサ１４の一部が口金９の内部に位置するようにホルダー３の片面に取り付けられ、ホルダー３の他方の面には蛍光ランプ２が装着されている。
【０００５】
このように構成された従来の電球形蛍光ランプは、回路基板を支持するためのカバー４が必要となり、カバー４は内部の部品等が外部から見えないようにして商品価値を高めるために、光を透過しない耐熱性の合成樹脂等で構成されている。
【発明の開示】
【発明が解決しようとする課題】
【０００６】
このため、上記のように回路部品の一部は口金内に収納できるが、部品の多くはその部品寸法が大きく部品数も多いため口金内に収納することが困難である。
【０００７】
このため、複数の部品を収容するカバーの寸法分大きくなり、電球形蛍光ランプ全体としての寸法が大きくなるため、一般白熱電球のシルエットに近づけるためのさらなる小形化、さらには一般白熱電球の配光分布に近似するための支障要因となっている。
【特許文献２】特開２００３−１５１３０６号公報  さらに、従来の技術として、上記特許文献２に示されるものが存在するが、この内容は、発光部である発光ダイオードを並べた基板１０と、発光ダイオードを点灯させるための回路部品を実装した基板２０の２枚で構成している。
【０００８】
２枚の基板のうち、基板２０を電球用口金の下側に組み込み、基板１０を口金開口側に重ねて組み込んだもので、電球用口金とカバーの構造が簡単となるためいろいろな形状の電球を製作しやすくすることを目的としたものである。
【０００９】
この構成によれば、回路部品が口金内に収納されているため、小形化に支障となる問題を改良することは可能であるが、２枚の基板は電球用口金内に、単に挿入され収納されているだけで、２枚の基板を口金内に固定するための支持構成がなく、２枚の基板が口金に固定されずにガタツクおそれがあり、故障発生の要因となる問題が生じる。
【００１０】
さらに発光部である発光ダイオードが口金内に一方向に向かって配置されているため、指向性が狭いことを特徴とする発光ダイオードの光が一方向に照射されるため拡散性を有するグローブであってもその配光分布が不均一となるおそれがある。また比較的指向性の広い発光ダイオードを使用した場合、光の一部が金属の口金で遮られ、発光部の光を有効に利用することが困難となる問題が生じる。
【００１１】
本発明は、上述した課題を解決することを目的とし、さらなる小形化を可能とし、一般白熱電球のシルエットに、より一層近づけることが可能なランプ一体形点灯装置を提供しようとするものである。
【課題を解決するための手段】
【００１２】
請求項１に記載のランプ一体形点灯装置の発明は、発光手段と；発光手段と電気的に接続される口金と；発光手段を点灯制御する回路部品と；回路部品を実装する回路基板とを具備し；前記回路部品を口金内に収納し、回路基板を口金に取り付けることを特徴とする。
【００１３】
本発明の「発光手段」は、蛍光ランプ等の放電灯、発光ダイオード等が好適であるが、点灯発光するため、若しくは発光を制御するための点灯制御装置を有する発光手段を意味し、発光量、発光色等を、さらには自動点滅制御されて点灯される白熱電球であってもよい。
【００１４】
「発光手段と電気的に接続される口金」とは、発光手段と口金とが、点灯制御装置を構成する回路を介して電気的に接続されることを意味し、口金は導電性の金属材料で構成され、商用電源に配線され接続されたソケットに、ねじ込み等の手段で接続、固定されるＥ型口金等を意味している。
【００１５】
「発光手段を点灯制御する回路部品」は、放電灯の点灯回路を構成する電解コンデンサ、カレントトランス、フィルムコンデンサ、抵抗、トランジスタ、ＳＣＲなどのスイッチング素子等の電子部品でもよく、また発光量、発光色等を切り替えるための制御回路、さらには自動点滅をさせるための制御回路等を構成する上述の部品などを含んだ電子部品でもよく、これら電子部品はチップタイプの部品を用いた小形のものが好ましいが、特にこれには限定されない。
【００１６】
「回路部品を実装する回路基板」は、プリント基板から構成されたもので、その形状は円盤形状をなしていることが好ましいが、円の一部を切り欠いた半月状のもの、６角形、８角形等の多角形状でもよく、要は口金内に収容可能な大きさ形状をなしていればよく、特定の形状には限定されない。
【００１７】
回路部品は、回路基板の片面に集中して実装されて装着されていてもよく、また小形の部品を片面に、比較的に大きな部品を他の面に実装してもよく、要は本発明装置全体の大きさ、特に高さ寸法の小形化に支障とならない範囲で小形のチップ部品の幾つかを片面に、他の小形の部品と大きな部品を他の面に実装し、他の面に実装し装着された部品が口金内に円滑に収納されるように、大きな部品を基板の中央にして、基板外周縁に行くにしたがい中形部品、小形部品の順に配置し、全体として側面から見たとき基板中央を頂上とした山形形状に配置されて装着されていることが好ましいが、特にこれには限定されない。
【００１８】
「回路部品を口金内に収納し、回路基板を口金に取り付ける」とは、回路部品を口金の内部空間内に収納した状態で、回路基板を口金の開口部側に取り付けることを意味しているが、回路部品全てが口金内に収納されている必要はなく、上記のように小形のチップ部品の幾つかを片面に、他の小形の部品と大きな部品を他の面に実装し、全体として山形形状に配置され支持されている場合、山形形状に配置された部品を口金内に収納し、片面の小形のチップ部品は口金の外側に位置させ口金内に収納しないようにしてもよく、要は本発明装置全体の大きさ、特に高さ寸法の小形化に支障となるような部品が少なくとも口金内に収納されていればよく、小形化に支障とならない部品は、口金内に収納されていても、また収納されていなくてもよく、回路設計の上で適宜選択できる。
【００１９】
回路基板は、口金開口部の開口縁に取り付けられことが好ましいが、開口縁から内部に入っている状態でも、また開口縁から多少突出した状態で取り付けられていてもよく、要は、上記のように本発明装置全体の大きさ、特に高さ寸法の小形化に支障とならない範囲で適宜選択すればよい。
【００２０】
回路基板を口金に取り付けるための手段は、接着剤やかしめ手段等によって着脱が実質的に出来ない状態に取り付けてもよく、また、修理、部品交換等を可能とするために、ねじ込み等の手段によって着脱可能な状態に取り付けるようにしてもよい。さらに回路基板と口金を直接取り付けるのではなく、例えば、アダプターや緩衝材さらにはパッキング的なものを両者の間に介在させて取り付けるようにしてもよい。
【００２１】
本発明によれば、さらなる小形化を可能とし、一般白熱電球のシルエットに、より一層近づけることが可能なランプ一体形点灯装置を提供することができる。
【００２２】
請求項２に記載のランプ一体形点灯装置の発明は、回路基板に点灯回路部品を実装し、一端に開口部を有する略円筒状の口金内部空間内に回路部品を収納し、回路基板を口金開口部側に取り付けると共に、発光手段を口金開口部の外側で、かつ回路基板に近接して配置したことを特徴とする。
【００２３】
本発明の「回路基板に点灯回路部品を実装し」とは、回路部品が回路基板の片面に集中して実装されて装着されていてもよく、また小形の部品を片面に、比較的に大きな部品を他の面に実装してもよく、要は本発明装置全体の大きさ、特に高さ寸法の小形化に支障とならない範囲で小形のチップ部品の幾つかを片面に、他の小形の部品と大きな部品を他の面に実装し、他の面に実装し支持された部品が口金内に円滑に収納されるように、大きな部品を基板の中央にして、基板外周縁に行くにしたがい中形部品、小形部品の順に配置し、全体として側面から見たとき基板中央を頂上とした山形形状に配置されて装着されていることが好ましいが、特にこれには限定されない。
【００２４】
「一端に開口部を有する略円筒状の口金内部空間内に回路部品を収納し」とは、回路部品を口金の内部空間内に収納した状態を意味しているが、回路部品全てが口金内に収納されている必要はなく、上述のように小形のチップ部品の幾つかを片面に、他の小形の部品と大きな部品を他の面に実装し、全体として山形形状に配置され支持されている場合に、山形形状に配置された部品を口金内に収納し、片面の小形のチップ部品は口金の外側に位置させ口金内に収納しないようにしてもよく、要は本発明装置全体の大きさ、特に高さ寸法の小形化に支障となるような部品が少なくとも口金内に収納されていればよく、小形化に支障とならない部品は、口金内に収納されていても、また収納されていなくてもよく、回路設計の上で適宜選択できる。
【００２５】
「回路基板を口金開口部側に取り付ける」とは、回路基板が口金開口部の開口縁に取り付けられことが好ましいが、開口縁から内部に入っている状態でも、また開口縁から多少突出した状態で取り付けられていてもよく、要は、上記のように本発明装置全体の大きさ、特に高さ寸法の小形化に支障とならない範囲で適宜選択すればよい。
【００２６】
回路基板を口金に取り付けるための手段は、接着剤やかしめ手段等によって着脱が実質的に出来ない状態に取り付けてもよく、また、修理、部品交換等を可能とするために、ねじ込み等の手段によって着脱可能な状態に取り付けるようにしてもよい。
【００２７】
「発光手段を口金開口部の外側で、かつ回路基板に近接して配置した」とは、発光手段が口金内に収納されず、口金の外側に近接して配置されていることを意味しているが、発光手段の全てが完全に口金の外側に位置していることを意味しているのではなく、発光手段の一部、例えば、発光手段に設けられている端子部分とか、発光管の発光しない部分等が口金内に入っているものも当然含まれ、要は発光手段の光が口金によって実質的に遮断されない範囲で、発光手段の一部が口金に入っているもの全てが包含される。
【００２８】
発光手段を回路基板に近接して配置するための手段は、回路基板に直接発光手段を取り付けて支持させて近接状態に配置してもよく、また回路基板と別部品で構成された支持部材に発光手段を取り付け、この支持部材を回路基板に重ねるように、または両者の間に隙間を空けて設置し、近接状態に配置してもよい。要は本発明装置全体の大きさ、特に高さ寸法の小形化に支障とならない範囲で適宜選択すればよい。
【００２９】
本発明によれば、さらなる小形化を可能とし、一般白熱電球のシルエットに、より一層近づけることが可能なランプ一体形点灯装置を提供することができる。
【００３０】
請求項３に記載のランプ一体形点灯装置の発明は、請求項１または２記載のランプ一体形点灯装置において、前記回路基板は、口金内に回路部品を収納した後に、口金を加工して取り付けることを特徴とする。
【００３１】
本発明は、口金内に回路部品を収納した後に、口金を加工することにより、回路基板が口金に支持され取り付けられることを意味し、例えば、組み立て工程において、まず回路部品を口金内に挿入し収納する第一の工程と、この第一の工程により口金の開口部に位置した回路基板を、金属よりなる口金の一部分を加工して回路基板を口金の開口部に支持する第二の工程を有することを意味している。
【００３２】
「口金を加工して取り付ける」構成は、口金自体を加工して支持部材を構成しても、また支持部材を別部品として構成し、この別部品を口金に取り付けて支持するような構成にしてもよい。
【００３３】
例えば、円盤状の回路基板を口金の円形の開口部架空面と基板面が重なり合う方向に押し込み、両者の摩擦係合により基板外周と口金内周壁とを固定する。さらに基板の口金開口部の挿入方向内面の裏面である外面よりも開口部側の外周部分を、例えば４箇所程度、等間隔に外側からポンチで押し込んで、口金の内方に突出する凸部を形成し、この凸部で回路基板を押さえ、回路基板の抜け止めをなすようにしてもよい。
【００３４】
さらに、回路部品を口金内に収納する第一の工程の前に、回路基板を収納した際に、回路基板の挿入方向の内面に位置する部分を、例えば４箇所程度、等間隔に口金外周方向側からポンチで押し込んで口金の内方に突出する第一の凸部を形成する工程を設ける。次に回路基板を口金の開口部開口架空面と基板挿入面が重なり合う内面側から基板を挿入し、回路基板の内面を第一の凸部に載せ、次に上記同様、口金内の回路基板よりも口金開口部側の外周面を、例えば４箇所程度、等間隔にポンチで押し込んで、口金の内方に突出する第二の凸部を形成する。この第二の凸部で回路基板の外側の面を押さえて回路基板の抜け止めをなすようにしてもよい。この際、第一の凸部は、回路基板が口金内方へ所定寸法以上入らないようにするためのストッパーの役目を果たすことになる。
【００３５】
また、口金を加工することにより形成される支持部材は、上記の凸部に限らず、口金の金属自体をプレス等により舌片状に切り起こして形成したものでもよく、勿論、口金と一体でなく別部品で構成してもよく、その形状、加工方法は種々のものが適用できる。
【００３６】
本発明によれば、さらなる小形化を可能とし、一般白熱電球のシルエットに、より一層近づけることが可能なランプ一体形点灯装置を提供することができると共に、簡単かつ安価な方法で、回路基板を口金に確実に取り付けることができる。
【００３７】
請求項４に記載のランプ一体形点灯装置の発明は、請求項１または２記載のランプ一体形点灯装置において、前記回路基板を、口金内面に押圧することにより取り付けることを特徴とする。
【００３８】
本発明は、例えば、口金の内面に弾性体を設け、この弾性体の弾力を利用して回路基板を口金に支持し取り付けるなど、基板を口金内面に押圧することにより取り付けられることを意味する。具体的には、口金とは別部品の弾性板に舌片状の切り起こし部を形成し、この弾性体を口金開口部の内面に、例えば４箇所程度、等間隔にスポット溶接などで固着して、舌片状の切り起こし部が口金の内方に突出するように構成し、この切り起こし部の弾性を利用して、回路基板を口金に支持させるようにしてもよい。
【００３９】
また、上記舌片状の切り起こし部を有する弾性体は、口金に一体にプレス等で形成してもよく、その形状、加工方法等は種々のものが適用でき、特に限定されない。
【００４０】
本発明によれば、さらなる小形化を可能とし、一般白熱電球のシルエットに、より一層近づけることが可能なランプ一体形点灯装置を提供することができると共に、基板固定等の工程がないので一層簡単かつ安価な方法で、回路基板を口金に確実に取り付けることができる。
【００４１】
請求項５に記載のランプ一体形点灯装置の発明は、請求項１または２記載のランプ一体形点灯装置において、前記回路基板は、口金の螺旋溝を使用して取り付けることを特徴とする。
【００４２】
本発明は、口金の内面にある雌ねじ部分よりなる螺旋溝を利用して回路基板を口金に取り付けることを意味し、例えば、円盤状の回路基板の直径を螺旋溝のねじ内径寸法と略同一の寸法となして、円盤状の回路基板の周縁部を直接螺旋溝に螺合し、例えば１回転程度ねじ込むことにより回路基板を口金の開口部に取り付けるようにしてもよく、さらに回路基板を直接螺旋溝に螺合するのではなく、例えば合成樹脂で形成されたリング状のアダプターを回路基板の周縁部に設け、このアダプターを介して回路基板を螺旋溝に螺合するようにしてもよい。さらに回路基板が円盤状でなく、例えば円盤を一部切り欠いた半円盤状のときなど、ねじ込んでも安定しない形状をなしている場合には、例えば合成樹脂で形成されたリング状のアダプターを半円形の回路基板の周縁部に取り付け、このアダプターを介してねじ込むようにしてもよい。
【００４３】
また、このアダプターの周縁部に口金の螺旋溝に螺合する雄ねじ部を形成してもよい。さらにアダプターはリング状にして回路基板の周縁部の全周に設けなくとも、回路基板の周縁部に短冊状のアダプターを複数個設けるようにしてもよい。
【００４４】
本発明によれば、さらなる小形化を可能とし、一般白熱電球のシルエットに、より一層近づけることが可能なランプ一体形点灯装置を提供することができると共に、口金螺旋溝を利用して基板の固定が可能であるので簡単かつ安価な方法で、回路基板を口金に確実に取り付けることができる。
【００４５】
請求項６に記載のランプ一体形点灯装置の発明は、請求項１または２記載のランプ一体形点灯装置において、  前記回路基板は、基板周囲に凹部を形成し、この凹部を口金の凸部に係合して取り付けることを特徴とする。
【００４６】
本発明は、回路基板の周縁部に凹部を形成し、この凹部を口金の凸部に係合して回路基板を口金に支持し取り付けることを意味し、例えば、円盤状の回路基板の周縁部の一部を径方向に対向して切り欠いて凹部を形成し、さらに口金開口部の縁部の一部を径方向に対向して、口金の内方に向かってプレス等で押し込んで凸部を形成する。その後、この凸部に回路基板の凹部を嵌合し、この嵌合による係合状態で回路基板の水平方向の回転を防止するようにしてもよい。
【００４７】
さらに口金の凸部は上下２段にして設け、回路基板の凹部を口金の上部の凸部に合わせて嵌め込んで、下の凸部の上に落とし込み、回路基板を多少回転させる。次に回路基板の凹部に隣接して位置することになる凹部から突出した部分を、口金内面に上下２段に存在する凸部間の隙間に挟み込み、回路基板を上下方向に移動しないように取り付けるようにしてもよい。
【００４８】
本発明によれば、さらなる小形化を可能とし、一般白熱電球のシルエットに、より一層近づけることが可能なランプ一体形点灯装置を提供することができると共に、基板固定とともに周方向への回転をも抑制でき、一層簡単かつ安価な方法で、回路基板を口金に確実に取り付けることができる。
【００４９】
請求項７に記載のランプ一体形点灯装置の発明は、請求項１ないし６いずれか一記載のランプ一体形点灯装置において、前記口金は、内部に回路部品に対向して電気絶縁部材を設けたことを特徴とする。
【００５０】
本発明は、口金の内部に回路部品に対向して電気絶縁部材を設け、口金と回路部品との電気絶縁を図ったことを意味し、電気絶縁部材は合成樹脂、合成ゴム等の材料からなり、別部品として円筒形の絶縁部材を構成し、この円筒の外面を口金の内壁面に接するか、または近接するように挿入してもよい。また円筒の外面に口金内壁に形成されている雌ねじ部分よりなる螺旋溝に適合する雄ねじを一体成型し、円筒の絶縁部材を口金内壁にねじ込み固定するようにしてもよい。
【００５１】
さらに、電気絶縁部材は、口金内壁に合成樹脂、合成ゴム等の材料をコーティングすることにより絶縁膜を形成するようにしてもよい。
【００５２】
さらに、電気絶縁部材は口金内壁面の全体に設ける必要はなく、少なくとも口金内に収納される回路部品に対向して設けられていればよい。要は、回路部品が振動等により、口金内で動いて傾き、回路部品と口金内壁が接触して電気的な短絡現象が生じないよう、少なくとも回路部品に対向して電気絶縁部材が設けられていればよい。
【００５３】
本発明によれば、さらなる小形化を可能とし、一般白熱電球のシルエットに、より一層近づけることが可能なランプ一体形点灯装置を提供することができると共に、製品として信頼性の高いランプ一体形点灯装置を提供することができる。
【発明の効果】
【００５４】
請求項１の発明によれば、さらなる小形化を可能とし、一般白熱電球のシルエットに、より一層近づけることが可能なランプ一体形点灯装置を提供することができる。
【００５５】
請求項２の発明によれば、さらなる小形化を可能とし、一般白熱電球のシルエットに、より一層近づけることが可能なランプ一体形点灯装置を提供することができる。
【００５６】
請求項３の発明によれば、さらなる小形化を可能とし、一般白熱電球のシルエットに、より一層近づけることが可能なランプ一体形点灯装置を提供することができると共に、簡単かつ安価な方法で、回路基板を口金に確実に取り付けることができる。
【００５７】
請求項４の発明によれば、さらなる小形化を可能とし、一般白熱電球のシルエットに、より一層近づけることが可能なランプ一体形点灯装置を提供することができると共に、基板固定などの工程がないので一層簡単かつ安価な方法で、回路基板を口金に確実に取り付けることができる。
【００５８】
請求項５の発明によれば、さらなる小形化を可能とし、一般白熱電球のシルエットに、より一層近づけることが可能なランプ一体形点灯装置を提供することができると共に、口金螺旋溝を利用して基板の固定が可能であるので簡単かつ安価な方法で、回路基板を口金に確実に取り付けることができる。
【００５９】
請求項６の発明によれば、さらなる小形化を可能とし、一般白熱電球のシルエットに、より一層近づけることが可能なランプ一体形点灯装置を提供することができると共に、基板固定とともに周方向への回転をも抑制でき、一層簡単かつ安価な方法で、回路基板を口金に確実に取り付けることができる。
【００６０】
請求項７の発明によれば、さらなる小形化を可能とし、一般白熱電球のシルエットに、より一層近づけることが可能なランプ一体形点灯装置を提供することができると共に、製品として信頼性の高いランプ一体形点灯装置を提供することができる。
【発明を実施するための最良の形態】
【００６１】
以下、本発明に係るランプ一体形点灯装置の第一の実施形態について説明する。
【実施例１】
【００６２】
図１は、本発明の第一の実施形態の一部を切り欠いて示す断面図、図２は、本発明第一実施形態の変形例の一部を切除し一部を切り欠いて示す断面図、図３（ａ）は、さらに他の変形例の一部を切除し一部を切り欠いて示す断面図、図３（ｂ）は、図３（ａ）の変形例の要部である弾性体を拡大して示す斜視図である。
【００６３】
図１において、１０は電球形蛍光ランプで、口金１１、点灯回路１２、発光管である蛍光ランプ１３、蛍光ランプ１３を覆うグローブ１４から構成され、グローブ１４の頂点から口金１１底面までの寸法及びグローブの外形寸法は、例えば６０Ｗの白熱電球などの一般照明電球の規格寸法及びシルエットに近似した外形形状に構成されている。
【００６４】
なお、以下、口金１１側を下側、グローブ１４側を上側として説明する。
【００６５】
口金１１は、導電性の金属材料で構成され、商用電源に配線され接続されたソケットに、ねじ込み等の手段で接続、固定される例えばＥ２６型口金で構成されている。
【００６６】
口金１１は、内面に空間部１１ａを有し、外面には雄ねじ、内壁部にはこの雄ねじにより形成される雌ねじ部よりなる螺旋溝１１ｂが設けられている。
【００６７】
さらに、口金１１には、上方に位置する円形の開口部に、内方に突出する凸部１１ｃが開口部の周囲に沿って、周方向に４箇所、等間隔に形成されている。
【００６８】
回路基板１５は、プリント基板から構成されたもので、その形状は円盤形状をなし、その上下両面に蛍光ランプ１３を点灯制御する回路部品１２が実装されている。
【００６９】
回路基板１５の直径寸法は、口金１１開口部の内径寸法と略同一寸法にするか、または回路基板１５の直径寸法が若干大きくなるように形成されている。
【００７０】
回路部品１２は、蛍光ランプ１３を高周波点灯させるためのインバータ回路（高周波点灯回路）を構成するもので、電解コンデンサ、カレントトランス、フィルムコンデンサ、ＲＥＣ（整流素子、ダイオードブリッジ）、抵抗、トランジスタ、ＳＣＲなどのスイッチング素子等の電子部品で構成されている。
【００７１】
回路部品１２は、比較的耐熱性が低い電解コンデンサ１２ａ、フィルムコンデンサ１２ｂ、カレントトランス１２ｃ等が回路基板１５の下面に配置され、特に下面に配置され装着された各部品が口金内に円滑に収納されるように、比較的大きな電解コンデンサ１２ａを基板の略中央に配置し、基板周辺に行くにしたがい中形部品であるフィルムコンデンサ１２ｂ、カレントトランス１２ｃを、さらにその外側に抵抗等のチップ部品である小形部品を順に配置し、全体として側面から見たとき基板中央を頂上とした山形形状に配置されて装着されている。
【００７２】
さらに、回路基板１５の上面には比較的耐熱性が高く、また、高さ寸法の小さいチップ部品１２ｅが配置されている。このチップ部品は、ＲＥＣ（整流素子、ダイオードブリッジ）、トランジスタあるいは抵抗などである。
【００７３】
これら部品で構成された高周波点灯回路の入力端が口金１１の端子部に、また回路の出力端が蛍光ランプ１３の電極端子１３ａに、それぞれリードワイヤーにより電気的に接続されている。
【００７４】
上記のように回路部品１２を実装した回路基板１５は、その下面に配置した比較的大きな部品が口金１１の空間部１１ａ内に収納されるように口金１１の開口部から押し込まれ、さらに回路基板１５は、その上面の周縁が、口金１１開口部を外側から４箇所、等間隔に加工して設けられる凸部１１ｃのかしめ手段により固定して支持されている。
【００７５】
蛍光ランプ１３は、略同形状の３本の管体を所定の位置に配し、連通管で順次連結接続して、１本の放電路が形成されるとともに、この放電路の両端部に位置して、フィラメントコイルなどを備えた電極端子１３ａが設けられている。また放電路内面には蛍光膜が形成され、内部にアルゴンガスなどの希ガス及び水銀が封入されている。
【００７６】
この蛍光ランプ１３は、支持部材１６に支持されている。支持部材１６は浅い略お椀状の形状をなしたもので、ポリブチレンテレフタノール（ＰＢＴ）などの耐熱性合成樹脂などで構成され、上面の支持面１６ａに４個の支持孔１６ｂを形成し、支持孔１６ｂに縦に長く配置された蛍光ランプ１３の４本の端部を挿入し、それぞれを支持孔１６ｂの周辺部に接着剤１６ｃを塗布して固定してある。蛍光ランプ１３の両端の電極端子１３ａが支持面１６ａの下側に突出している。
【００７７】
さらに、支持部材１６支持面１６ａの縁部には、リング状の取付部１６ｄが一体に形成され、この取付部１６ｄ下部を口金１１の開口部に嵌め込み、下端を口金１１に形成された凸部１１ｃ上に載置されるようして支持し、口金１１の開口部の端部と支持部材１６の取付部１６ｄ下部とに接着剤１６ｅを塗布し、これにより口金１１と蛍光ランプ１３を支持した支持部材１６とが固定されている。
【００７８】
さらに、グローブ１４は、透明あるいは光拡散性を有する乳白色などで、ガラスあるいは合成樹脂により、一般白熱電球のガラス球と略同一形状の滑らかな曲面状に形成されるとともに、下方の開口部の縁部には、上記支持部材１６の取付部１６ｄ上端の内側に嵌合する嵌合縁部１４ａが形成され、この嵌合縁部１４ａの端部と取付部１６ｄ上端の内側に接着剤１４ｂを塗布し、グローブ１４と支持部材１６とが固定されている。
【００７９】
次に、本実施形態の作用について説明する。
【００８０】
まず、本実施形態における組み立て方法の概要につき説明すると、回路部品１２を実装した回路基板１５は、その下面に配置した比較的大きな部品が口金１１の空間部１１ａ内に収納されるように口金１１の開口部から押し込み、その摩擦力で両者を固定するようにする。
【００８１】
次に口金１１開口部の外面で、押し込み挿入された回路基板１５上面の周縁に位置する部分を、周方向で４箇所、等間隔に、外側からポンチで押し込み、回路基板１５上面の周縁を、かしめ押さえるようにして凸部１１ｃを形成する。
【００８２】
この凸部１１ｃを加工するかしめ手段により、回路基板１５は口金１１開口部に、より確実に固定して支持される。
【００８３】
この際、凸部１１ｃは回路基板１５の上方への抜け止めを防止するストッパーの役目を果たすことになる。
【００８４】
さらに、予め蛍光ランプ１３を取り付けた支持部材１６の取付部１６ｄ下部を、口金１１の開口部に嵌め込み、その下端を口金１１に形成された凸部１１ｃの上に載置し、口金１１の開口部の端部全周と支持部材１６の取付部１６ｄ下部の全周に接着剤１６ｅを塗布し、蛍光ランプ１３を支持した支持部材１６と口金１１とを固定する。
【００８５】
次に、グローブ１４の下方の嵌合縁部１４ａを、支持部材１６の取付部１６ｄ上端の内側に嵌合し、この嵌合縁部１４ａの端部全周と取付部１６ｄ上端の内側全周に接着剤１４ｂを塗布し、グローブ１４と支持部材１６とを固定する。
【００８６】
上記のように構成された電球形蛍光ランプは、照明器具のソケットにねじ込まれて点灯回路に電源が投入され、蛍光ランプが点灯し照明をするようになっている。
【００８７】
上記構成によれば、口金１１自体を加工して凸部１１ｃを形成し、この凸部１１ｃによるかしめ手段により回路基板１５を口金１１に固定し支持するようにしたので、他の別部品を使用することなく、簡単かつ安価な方法で、回路基板を口金に確実に取り付けることができる。
【００８８】
本実施形態において、発光手段である蛍光ランプ１３は、他の放電灯または発光ダイオードでもよく、さらに発光量、発光色等を、さらには自動点滅制御されて点灯される白熱電球であってもよい。
【００８９】
発光手段である蛍光ランプ１３は、支持部材１６に支持するのではなく、直接、回路基板１５の上面に取り付けるようにしてもよい。
【００９０】
点灯制御する回路は、発光量、発光色等を切り替えるための制御回路、さらには自動点滅させるための制御回路等を構成する回路でもよい。
【００９１】
回路部品１２は、回路基板１５の片面に集中して実装されて装着されていてもよい。
【００９２】
回路基板１５は、口金１１の開口部からさらに内部に入っている状態でもよく、さらには回路基板１５が完全に口金１１内に収納されている必要はなく、一部が口金１１開口部から多少突出している状態で取り付けられていてもよい。
【００９３】
回路基板１５は、円盤の一部を切り欠いた半円盤状のもの、６角形、８角形等の多角形状でもよい。
【００９４】
凸部１１ｃは、４箇所でなく２箇所、または３箇所、等間隔に設けるようにしてもよい。
【００９５】
また、凸部１１ｃは、ポンチにより加工される凸部に限らず、プレスにより口金１１の金属を舌片状に切り起こして形成したものでもよく、さらに別部品で構成してもよい。
【００９６】
さらに、図２に示すように、回路基板が口金内方へ所定寸法入らないようにするストッパーの役目を果たす第二の凸部１１ｄを加え、基板を挟み込むよう凸部を上下２箇所に設け、回路基板の上面及び下面の周縁２箇所を固定し支持するようにしてもよい。
【００９７】
図３（ａ）、（ｂ）に示すように、ばね鋼板等の金属材料から構成された薄板状の弾性体３０で、上端縁部の両側に舌片状の切り起こし片からなる押え部３０ａを斜め下方に傾斜して一体に形成し、さらに下端縁部の中央部に切り起こし片からなる載置部３０ｂが一体に形成されていても構わない。
【００９８】
上記のように構成された弾性体３０は、口金１１開口部の内面に、周方向で４箇所、等間隔にスポット溶接などで固着され、舌片状の押え部３０ａ、３０ａ及び載置部３０ｂが、口金１１の内方に突出するように構成する。
【００９９】
本実施形態によれば、回路部品が口金内に収納され、回路基板が口金に取り付けられているため、さらなる小形化を可能とし、一般白熱電球のシルエットに、より一層近づけることが可能なランプ一体形点灯装置を提供することができる。
【０１００】
さらに、回路基板は、口金内に回路部品を収納した後に、口金を加工して支持されるので、簡単かつ安価な方法で、回路基板を口金に確実に取り付けることができる。
【０１０１】
次に本発明に係るランプ一体形点灯装置の第二の実施形態について説明する。
【実施例２】
【０１０２】
図４（ａ）は、本発明の第二の実施形態の一部を切除し一部を切り欠いて示す断面図。図４（ｂ）は、第二の実施形態の要部であるアダプターの変形例を一部切除し拡大して示す断面斜視図。図４（ｃ）は、さらに他の変形例の回路基板と口金を拡大して示す平面図である。各図には第一の実施形態と同一部分には同一符号を付してある。
【０１０３】
本実施形態は、第一の実施形態において、口金の開口部に設けた回路基板支持用の凸部による取り付け手段に替えて、口金内面の螺旋溝を使用して回路基板を口金に支持し取り付けるようにしたものである。
【０１０４】
図４（ａ）、（ｂ）、（ｃ）において、４０は回路基板１５を口金１１の螺旋溝１１ｂに取り付けるためのアダプターで、例えば合成ゴム、または合成樹脂等の柔軟性を有し、かつ電気絶縁性を有する材料でリング状に形成され、リング内面の全周に凹型の溝４０ａを形成し、この溝４０ａに円盤状の回路基板１５の周縁を嵌合してある。
【０１０５】
円盤状をなす回路基板１５の直径寸法は、口金１１内径寸法より小さく構成し、アダプター４０を回路基板１５の周縁に嵌合し、アダプター４０を含めた状態での円盤の直径寸法を、回路基板１５がアダプター４０を介して口金１１の螺旋溝１１ｂに螺合できるような寸法に構成されている。
【０１０６】
４１は、口金１１内面にポンチで形成された突出部で、回路基板１５を螺旋溝１１ｂにねじ込み取り付ける際のストッパーの役目をなすものである。
【０１０７】
本実施形態における組み立て方法は、まず回路部品１２を実装した回路基板１５の下面に配置した比較的大きな部品が口金１１の空間部１１ａ内に収納されるように口金１１の開口部から挿入する。そして冶具等を使用して回路基板１５を回転し、回路基板のアダプター４０の外周縁を口金１１内面の螺旋溝１１ｂに沿ってねじ込み、回路基板１５下面の周縁がストッパーとしての突出部４１の上端に当たるまでねじ込む。
【０１０８】
この際、アダプター４０は柔軟性のある材料で構成されているので、この柔軟性を利用して、回転させながら押し込むようにして螺合される。
【０１０９】
この状態で、回路基板１５は、アダプター４０の柔軟性を利用して口金１１の螺旋溝１１ｂに接合した状態で、口金１１に確実に支持され取り付けられる。
【０１１０】
この際、アダプター４０は合成ゴムまたは合成樹脂等の電気絶縁材で形成されているため、口金１１と回路基板１５の配線や回路部品との電気的な絶縁が行われる。
【０１１１】
本実施形態において、図４（ｂ）に示すように、アダプター４０の外周縁部に口金１１の螺旋溝１１ｂに螺合する雄ねじ部４２を形成してもよい。
【０１１２】
さらにアダプター４０はリング状にして回路基板１５の周縁部の全周に設けなくとも、回路基板１５の周縁部に短冊状のアダプターを複数個設けるようにしてもよい。
【０１１３】
回路基板１５の直径寸法を回路基板が口金１１の螺旋溝１１ｂに直接螺合できるような寸法に形成して、アダプターを介さないで直接回路基板１５の周縁を螺旋溝１１ｂにねじ込み支持するようにしてもよい。
【０１１４】
この際、回路基板１５の配線などの充電部が口金１１内面に接しないように配線や回路部品を基板の外周縁を避けて配置したり、または基板の外周縁に電気絶縁材を塗装したりして、電気的な短絡現象が生じないようにするとよい。また、後述の第五実施形態における図８（ｂ）で説明する電気絶縁膜を口金１１内壁面に形成した場合には、この絶縁膜が口金１１と回路基板１５との電気絶縁を既に図った構成となっているため、回路基板１５上では特に格別の電気絶縁処理を施す必要がなく、口金１１と回路基板１５との電気絶縁が確実に確保できる。
【０１１５】
さらに図４（ｃ）に示すように、回路基板１５が円盤状でなく、例えば円盤を一部切り欠いた半円盤状のときなど、回路基板１５を直接螺旋溝１１ｂにねじ込んでも、安定して支持できないような形状をなしている場合などには、リング状のアダプター４０を半円形の回路基板１５の周縁部に嵌合して、このアダプター４０を介して螺旋溝１１ｂにねじ込むようにするとよい。
【０１１６】
その他の構成及び作用等は、上記第一の実施形態と同様である。
【０１１７】
本実施形態によれば、回路基板は口金の螺旋溝を使用して取り付けられるので、特別な加工を行うことなく、単に回路基板を口金内にねじ込む操作だけでよく、簡単かつ安価な方法で、回路基板を口金に確実に取り付けることができる。
【０１１８】
次に本発明に係るランプ一体型点灯装置の第三の実施形態について説明する。
【実施例３】
【０１１９】
図５（ａ）は、本発明の第三の実施形態の一部を切除し一部を切り欠いて示す断面図。図５（ｂ）は、第三の実施形態の要部である回路基板と口金を拡大して示す平面図。図５（ｃ）は、第三実施形態の変形例の一部を切除し一部を切り欠いて示す断面図。図５（ｄ）は、図５（ｃ）の変形例における回路基板と口金を拡大して示す平面図である。各図には第一または第二の実施形態と同一部分には同一符号を付してある。
【０１２０】
本実施形態は、第一の実施形態において、口金の開口部に設けた回路基板支持用の凸部による取り付け手段に替えて、口金内面に突出部を設け、この突出部に係合する凹部を回路基板に設け、突出部と凹部を係合させて、回路基板を口金に取り付けるようにしたものである。
【０１２１】
図５（ａ）、（ｂ）において、５０は、口金１１の円形の開口部に、内方に突出する突出部で、口金１１開口部の縁部の一部を径方向に対向して、口金１１の内方に向かってプレス等で押し込むことにより形成されている。
【０１２２】
さらに、回路基板１５の周縁部には、上記突出部５０に対応し、突出部に係合する凹部５１が形成されている。凹部５１の底辺に該当する部分は突出部５０上面の傾斜に合わせた傾斜部５２が形成されている。
【０１２３】
回路基板１５の直径寸法は、口金１１開口部の内径寸法と略同一寸法にするか、または回路基板１５の直径寸法が若干大きくなるように形成されている。
【０１２４】
本実施形態における組み立て方法は、まず、回路基板１５の凹部５１と口金１１の突出部５０が対向するように位置合わせを行い、次に回路部品１２を実装した回路基板１５を、その下面に配置した比較的大きな部品が口金１１の空間部１１ａ内に収納されるように口金１１の開口部から押し込み、その摩擦力で両者を固定するようにする。
【０１２５】
この際、回路基板１５の凹部５１には、突出部５０に合わせた傾斜部５２が形成されているので、回路基板１５が突出部５０を越えて口金１１の内部に入ることはない。
【０１２６】
この状態で、回路基板１５は、口金１１内面との摩擦係合により支持されると共に、突出部５０と凹部５１の係合により水平方向に回転が防止され、回路基板１５が口金１１内で回転したり、ぐらついたりしないような状態で確実に支持され取り付けられる。
【０１２７】
本実施形態において、図５（ｃ）、（ｄ）に示すように、口金１１の突出部５０は、その下側に回路基板１５の板厚分程度の間隔を有して第二の突出部５３を設け、回路基板１５の凹部５１を上部の突出部５０に合わせて嵌め込み、下側の第二の突出部５３の上に落とし込み、回路基板１５を多少回転させることにより、回路基板１５の凹部５１に隣接して位置することになる凹部から突出した部分を、上下２段の突出部５０と５３との間の隙間に挟み込み、回路基板１５が上下方向に移動しないように取り付けるようにしてもよい。なお、この構成の場合、凹部５１の傾斜部５２は不要である。
【０１２８】
さらに、突出部と凹部は２個でなく複数個設けてもよく、１個でもよい。突出部は口金に一体に形成するのではなく、別部品で構成してもよい。
【０１２９】
その他の構成及び作用等は、上記第一の実施形態と同様である。
【０１３０】
本実施形態によれば、回路基板は、回路基板の凹部と口金の突出部とを係合させて取り付けられるので、単に回路基板を口金内に押し込む操作だけ、もしくは押し込んで多少回転するだけの操作でよく、簡単かつ安価な方法で、回路基板を口金に確実に取り付けることができる。
【０１３１】
次に本発明に係るランプ一体型点灯装置の第四の実施形態について説明する。
【実施例４】
【０１３２】
図６（ａ）は、本発明の第四の実施形態の一部を切除し一部を切り欠いて示す断面図。図６（ｂ）は、第四実施形態の変形例の一部を切除し一部を切り欠いて示す断面図。図６（ｃ）は、第四実施形態のさらに他の変形例の一部を切除し一部を切り欠いて示す断面図。図７は、第四実施形態のさらに他の変形例の一部を切除し一部を切り欠いて示す断面図である。各図には第一乃至第三の実施形態と同一部分には同一符号を付してある。
【０１３３】
本実施形態は、グローブと口金の取り付け構造に関するもので、その構成は、図６（ａ）に示すように、蛍光ランプ１３をさらに小形化し、グローブ１４の外形も小形にして、グローブ１４下方の開口部の外径寸法と、円盤状をなす回路基板１５の直径寸法と、口金１１の内径寸法とを略同一の寸法（図６（ａ）に示すＡ寸法）に構成してある。
【０１３４】
本実施形態における組み立て方法は、まず、回路部品１２を実装した回路基板１５を、その下面に配置した比較的大きな部品が口金１１の空間部１１ａ内に収納されるように口金１１の開口部から押し込み、その摩擦力で回路基板１５を口金１１内面に固定する。
【０１３５】
次に、グローブ１４の開口部を、口金１１の開口部から、既に固定されている回路基板１５周縁の上面に当たるまで押し込み、その摩擦力でグローブ１４を口金１１内面に固定する。
【０１３６】
この際、グローブ１４の開口部には、蛍光ランプ１３を支持した支持部材１６が予め取り付けられている。
【０１３７】
さらに、上記のように組み立てられた口金１１開口部の上端部と、グローブ１４の外面に接着剤１４ｄを塗布する。
【０１３８】
この状態で、回路基板１５は、口金１１内面との摩擦係合により支持されると共に、グローブ１４が口金１１に確実に支持され取り付けられる。
【０１３９】
この構成によれば、上記第一の実施形態におけるグローブ１４の支持構造に比較して、支持部材１６にグローブ１４の嵌合縁部１４ａを取り付けるためのリング状の取付部１６ｄが不要となり、支持部材１６の構成が簡単になる。さらに、支持部材１６の取付部１６ｄが不要となることから、グローブ１４の開口部を別部材を介さずに、直接、口金１１の内面に取り付けることが可能となり、グローブ１４及び口金１１を含めた電球全体としての高さ寸法をさらに小さくすることが可能となる。
【０１４０】
本実施形態において、図６（ｂ）示すように、グローブ１４の開口部縁部に嵌合縁部１４ｅを形成し、この嵌合縁部１４ｅに回路基板１５を嵌合するようにしてもよい。
【０１４１】
この場合の組み立て方法は、まず、グローブ１４の開口部に、蛍光ランプ１３を支持した支持部材１６を嵌合し、さらにグローブ１４開口部の嵌合縁部１４ｅに回路基板１５の周縁を嵌合し、予め蛍光ランプ１３、グローブ１４、回路部品１２及び回路基板１５からなる構成体を組み立てておき、この構成体を比較的大きな部品が口金１１の空間部１１ａ内に収納されるように口金１１の開口部から挿入し、グローブ１４の開口部を口金１１内面に押し込み、その摩擦力でグローブを口金内面に固定する。
【０１４２】
さらに、上記のように組み立てられた口金１１開口部の上端部と、グローブ１４の外面に接着剤１４ｆを塗布する。
【０１４３】
さらに、図６（ｃ）示すように、グローブ１４下方の開口部の外径寸法と、円盤状をなす回路基板１５の直径寸法と、口金１１の外径寸法とを略同一の寸法（図６（ｃ）に示すＢ寸法）に構成し、口金１１の開口部上端に回路基板１５を載置し、さらにその上にグローブ１４開口部の下端部を載置して三段重ねの状態に積み重ね、その外周に接着剤１４ｇを塗布してグローブ１４を口金１１に取り付けるようにしてもよい。
【０１４４】
なお、図７に示すように発光手段として、支持体７０に白色発光ダイオード７１を取り付けても構わない。
【０１４５】
その他の構成及び作用等は、上記第一の実施形態と同様である。
【０１４６】
本実施形態によれば、回路部品が口金内に収納され、回路基板が口金に取り付けられているため、従来における回路部品を取り付けた回路基板を支持するためのカバー部材が不要となり、さらなる小型化を可能とし、一般白熱電球のシルエットに、より一層近づけることが可能なランプ一体型点灯装置を提供することができると共に、グローブは口金に接着剤等で取り付けることが可能となり、簡単かつ安価な方法でグローブを口金に確実に取り付けることができる。さらに一般白熱電球の配光分布に近似する配光特性が得られる。
【０１４７】
次に本発明に係るランプ一体形点灯装置の第五の実施形態について説明する。
【実施例５】
【０１４８】
図８（ａ）は、本発明の第五の実施形態の一部を切除し一部を切り欠いて示す断面図。図８（ｂ）は、第五実施形態の変形例の一部を切除し一部を切り欠いて示す断面図である。各図には第一乃至第四の実施形態と同一部分には同一符号を付してある。
【０１４９】
本実施形態は、口金の内面に回路部品に対向して電気絶縁部材を設けたものである。
【０１５０】
この種ランプ一体形点灯装置においては、回路の小形化進み口金内への実装度が高くなると口金内壁と回路の充電部の距離が近くなり、回路部品が振動等により、口金内で動いて傾き、回路部品と口金内壁が接触して電気的な短絡現象が生じる恐れがある。
【０１５１】
この問題を改善するために、本実施形態は、口金の内壁に回路部品に対向して円筒状の電気絶縁部材を設けたものである。
【０１５２】
図８（ａ）において、８０は電気絶縁部材で、合成樹脂、合成ゴム等の電気絶縁材料から円筒形に成形されて、円筒外形の直径寸法は、口金１１の開口部に突出形成された凸部１１ｃ及び第二の凸部１１ｄの内径寸法と略同一か、または円筒外形の直径寸法を若干大きくして構成し、円筒形の電気絶縁部材８０を、口金１１開口部から押し込み、円筒の上端と凸部１１ｄ先端との接触による摩擦力で保持し、両者を確実に支持し取り付けるようにしてある。
【０１５３】
この電気絶縁部材８０は、回路基板１５の回路部品１２を口金１１に挿入する前に、口金１１内に挿入され固定されている。
【０１５４】
本実施形態において、円筒形電気絶縁部材８０の外面を、口金１１の内壁面に接するか、または近接するように挿入してもよい。
【０１５５】
円筒形電気絶縁部材８０の外面に、口金１１内壁に形成されている雌ねじ部分よりなる螺旋溝１１ｂに適合する雄ねじを一体成型し、円筒形の電気絶縁部材８０を口金１１の内壁螺旋溝１１ｂにねじ込み固定するようにしてもよい。
【０１５６】
さらに、図８（ｂ）に示すように、電気絶縁部材は合成樹脂、合成ゴム等の電気絶縁材料を、口金の内壁面にコーティングすることにより電気絶縁膜８１を形成するようにしてもよい。
【０１５７】
さらに電気絶縁部材は、口金内壁面の全体に設ける必要はなく、少なくとも口金内に収納される回路部品に対向して設けられていればよい。
【０１５８】
その他の構成及び作用等は、上記第一の実施形態と同様である。
【０１５９】
本実施形態によれば、口金内面に回路部品に対向して電気的な絶縁部材を設けたので、回路部品と口金内壁が接触して電気的な短絡現象が生じないようにできるため、製品として信頼性の高いランプ一体形点灯装置を提供することができる。
【０１６０】
以上、本発明の好適な実施形態を説明したが、本発明は上述の各実施形態に限定されることなく、本発明の要旨を逸脱しない範囲内において、種々の設計変更を行うことができる。
【図面の簡単な説明】
【０１６１】
【図１】本発明の第一の実施形態の一部を切り欠いて示す断面図。
【図２】本発明第一実施形態の変形例の一部を切除し一部を切り欠いて示す断面図。
【図３（ａ）】本発明第一実施形態のさらに他の変形例の一部を切除し一部を切り欠いて示す断面図。
【図３（ｂ）】本発明第一実施形態の図３（ａ）の変形例の要部である弾性体を拡大して示す斜視図。
【図４（ａ）】本発明の第二の実施形態の一部を切除し一部を切り欠いて示す断面図。
【図４（ｂ）】本発明第二実施形態の要部であるアダプターの変形例を一部切除し拡大して示す断面斜視図。
【図４（ｃ）】本発明第二実施形態のさらに他の変形例の回路基板と口金を拡大して示す平面図。
【図５（ａ）】本発明の第三の実施形態の一部を切除し一部を切り欠いて示す断面図。
【図５（ｂ）】本発明第三の実施形態の要部である回路基板と口金を拡大して示す平面図。
【図５（ｃ）】本発明第三実施形態の変形例の一部を切除し一部を切り欠いて示す断面図。
【図５（ｄ）】本発明第三実施形態の図５（ｃ）の変形例における回路基板と口金を拡大して示す平面図である。
【図６（ａ）】本発明の第四の実施形態の一部を切除し一部を切り欠いて示す断面図。
【図６（ｂ）】本発明第四実施形態の変形例の一部を切除し一部を切り欠いて示す断面図。
【図６（ｃ）】本発明第四実施形態のさらに他の変形例の一部を切除し一部を切り欠いて示す断面図。
【図７】本発明第四実施形態のさらに他の変形例の一部を切除し一部を切り欠いて示す断面図。
【図８（ａ）】本発明の第五の実施形態の一部を切除し一部を切り欠いて示す断面図。
【図８（ｂ）】本発明第五実施形態の変形例の一部を切除し一部を切り欠いて示す断面図。
【符号の説明】
【０１６２】
１１    口金
１２    回路部品
１３    発光手段
１５    回路基板
【図１】
2005085484.tif 000003
【図２】
2005085484.tif 000004
【図３（ａ）】
2005085484.tif 000005
【図３（ｂ）】
2005085484.tif 000006
【図４（ａ）】
2005085484.tif 000007
【図４（ｂ）】
2005085484.tif 000008
【図４（ｃ）】
2005085484.tif 000009
【図５（ａ）】
2005085484.tif 000010
【図５（ｂ）】
2005085484.tif 000011
【図５（ｃ）】
2005085484.tif 000012
【図５（ｄ）】
2005085484.tif 000013
【図６（ａ）】
2005085484.tif 000014
【図６（ｂ）】
2005085484.tif 000015
【図６（ｃ）】
2005085484.tif 000016
【図７】
2005085484.tif 000017
【図８（ａ）】
2005085484.tif 000018
【図８（ｂ）】
2005085484.tif 000019